(57)【要約】【課題】２重母線の延伸方向の寸法を短縮化することが可能であると共に経済性も向上する２重母線方式のガス絶縁開閉装置を提供すること。【解決手段】ガス絶縁開閉装置は、第１の方向に延伸する主母線１Ａと、主母線１Ａと同一の直線上に配置される主母線２Ａと、主母線１Ａと主母線２Ａとを区分する母線区分ユニット２と、主母線１Ａと平行な主母線１Ｂと、主母線１Ｂと同一の直線上に配置される主母線２Ｂと、主母線１Ｂと主母線２Ｂとを区分する母線区分ユニット７と、主母線１Ａと主母線１Ｂとを連絡する母線連絡ユニット８と、主母線２Ａと主母線２Ｂとを連絡する母線連絡ユニット４とを備える。母線区分ユニット３と母線連絡ユニット８は、上面視で、第２の方向の同一直線上に配置され、母線区分ユニット７と母線連絡ユニット４は、上面視で、第２の方向の同一直線上に配置される。【選択図】図１
2016187268.tif 000002
【特許請求の範囲】
【請求項１】
水平な第１の方向に延伸する第１の主母線と、前記第１の主母線と同一の直線上に配置される第２の主母線と、前記第１の主母線と前記第２の主母線とを区分する第１の母線区分ユニットと、前記第１の主母線と平行でかつ同じ高さに配置された第３の主母線と、前記第３の主母線と同一の直線上に配置される第４の主母線と、前記第３の主母線と前記第４の主母線とを区分する第２の母線区分ユニットと、前記第１の主母線と前記第３の主母線とを連絡する第１の母線連絡ユニットと、前記第２の主母線と前記第４の主母線とを連絡する第２の母線連絡ユニットとを備えた２重母線方式のガス絶縁開閉装置であって、
前記第１の母線区分ユニットおよび前記第１の母線連絡ユニットは、上面視で、前記第１の方向と直交しかつ水平な第２の方向の同一直線上に配置され、当該同一直線上に配置される第１の接続母線で互いに接続され、
前記第２の母線区分ユニットおよび前記第２の母線連絡ユニットは、上面視で、前記第２の方向の同一直線上に配置され、当該同一直線上に配置される第２の接続母線で互いに接続され、
前記第１の母線区分ユニットから前記第２の主母線に至る第１の通電経路と前記第２の母線区分ユニットから前記第３の主母線に至る第２の通電経路は、上面視で、それぞれＬ字形であり、
前記第１の母線連絡ユニットは前記第２の通電経路から分岐し、前記第２の母線連絡ユニットは前記第１の通電経路から分岐している
ことを特徴とするガス絶縁開閉装置。
【請求項２】
前記第１の母線区分ユニットは、軸線が前記第２の方向である第１の遮断器と、当該第１の遮断器の両側でかつ上部に接続された１対の第１の断路器とを備え、
前記第２の母線区分ユニットは、軸線が前記第２の方向である第２の遮断器と、当該第２の遮断器の両側でかつ上部に接続された１対の第２の断路器とを備え、
前記１対の第１の断路器の一方と前記第１の主母線と前記第１の接続母線とが、Ｔ字形の第３の接続母線で互いに接続され、
前記１対の第２の断路器の一方と前記第４の主母線と前記第２の接続母線とが、Ｔ字形の第４の接続母線で互いに接続される
ことを特徴とする請求項１に記載のガス絶縁開閉装置。
【請求項３】
前記第１の母線連絡ユニットは、軸線が前記第２の方向である第３の遮断器と、当該第３の遮断器の両側でかつ上部に接続された１対の第３の断路器とを備え、
前記第２の母線連絡ユニットは、軸線が前記第２の方向である第４の遮断器と、当該第４の遮断器の両側でかつ上部に接続された１対の第４の断路器とを備え、
前記１対の第３の断路器の一方と前記第１の接続母線とが接続され、
前記１対の第４の断路器の一方と前記第２の接続母線とが接続され、
前記第１の通電経路は、前記第２の主母線に接続されると共に上面視で前記第２の方向に配置された第１の保護計測ユニットと、前記第１の保護計測ユニットと前記１対の第４の断路器の他方とを接続すると共に前記第１の方向に伸びる第５の接続母線と、前記１対の第４の断路器の他方と前記１対の第１の断路器の他方とを接続すると共に前記第１の方向に延伸する第６の接続母線とで構成され、
前記第２の通電経路は、前記第３の主母線に接続されると共に上面視で前記第２の方向に配置された第２の保護計測ユニットと、前記第２の保護計測ユニットと前記１対の第３の断路器の他方とを接続すると共に前記第１の方向に伸びる第７の接続母線と、前記１対の第３の断路器の他方と前記１対の第２の断路器の他方とを接続すると共に前記第１の方向に延伸する第８の接続母線とで構成される
ことを特徴とする請求項２に記載のガス絶縁開閉装置。
【請求項４】
前記第１の保護計測ユニットは、前記第５の接続母線と接続される第１の接地開閉器と、前記第１の接地開閉器と接続される第５の断路器と、前記第５の断路器の下部に配置されると共に前記第５の断路器に接続された第１の計器用変圧器と、前記第５の断路器に接続された第６の断路器と、前記第６の断路器の下部に配置されると共に前記第６の断路器に接続された第１の避雷器とを備え、
前記第２の保護計測ユニットは、前記第７の接続母線と接続される第２の接地開閉器と、前記第２の接地開閉器と接続される第７の断路器と、前記第７の断路器の下部に配置されると共に前記第７の断路器に接続された第２の計器用変圧器と、前記第７の断路器に接続された第８の断路器と、前記第８の断路器の下部に配置されると共に前記第８の断路器に接続された第２の避雷器とを備える
ことを特徴とする請求項３に記載のガス絶縁開閉装置。
【発明の詳細な説明】
【技術分野】
【０００１】
本発明は、２重母線方式のガス絶縁開閉装置に関するものである。
【背景技術】
【０００２】
従来の２重母線方式のガス絶縁開閉装置は、２重母線をそれぞれ区分する２つの母線区分ユニットと、２重母線を連絡する２つの母線連絡ユニットとを備える構成が一般的である（特許文献１の図１１、図１２）。ここで、２つの母線区分ユニットは２重母線の延伸方向に配置され、２つの母線連絡ユニットは２つの母線区分ユニットの両側に配置される。
【０００３】
また、特許文献２の図２１では、２つの母線区分ユニットが２重母線の延伸方向と直交する方向に配置されたガス絶縁開閉装置が記載されている。
【先行技術文献】
【特許文献】
【０００４】
【特許文献１】特開２０００−１８４５２９号公報
【特許文献２】特開平１０−２５７６２０号公報
【発明の概要】
【発明が解決しようとする課題】
【０００５】
特許文献１に記載されたガス絶縁開閉装置では、２つの母線区分ユニットは２重母線の延伸方向に配置され、２つの母線連絡ユニットは２つの母線区分ユニットの両側に配置されるので、２重母線の延伸方向の寸法が長寸となり、設置場所に制約の出る場合があった。
【０００６】
また、特許文献２に記載されたガス絶縁開閉装置では、２重母線の延伸方向の寸法は短寸化されるものの、２重母線と２つの母線区分ユニットとの接続に使用される２本の接続母線がそれぞれ両端部で２重母線と重複した配置となっており、接続母線の長さが重複分だけ余分に必要となることから、経済性が低下している。
【０００７】
この発明は、上記に鑑みてなされたもので、２重母線の延伸方向の寸法を短縮化することが可能であると共に経済性も向上する２重母線方式のガス絶縁開閉装置を提供することを目的とする。
【課題を解決するための手段】
【０００８】
上述した課題を解決し、目的を達成するために、本発明に係るガス絶縁開閉装置は、水平な第１の方向に延伸する第１の主母線と、前記第１の主母線と同一の直線上に配置される第２の主母線と、前記第１の主母線と前記第２の主母線とを区分する第１の母線区分ユニットと、前記第１の主母線と平行でかつ同じ高さに配置された第３の主母線と、前記第３の主母線と同一の直線上に配置される第４の主母線と、前記第３の主母線と前記第４の主母線とを区分する第２の母線区分ユニットと、前記第１の主母線と前記第３の主母線とを連絡する第１の母線連絡ユニットと、前記第２の主母線と前記第４の主母線とを連絡する第２の母線連絡ユニットとを備えた２重母線方式のガス絶縁開閉装置であって、前記第１の母線区分ユニットおよび前記第１の母線連絡ユニットは、上面視で、前記第１の方向と直交しかつ水平な第２の方向の同一直線上に配置され、当該同一直線上に配置される第１の接続母線で互いに接続され、前記第２の母線区分ユニットおよび前記第２の母線連絡ユニットは、上面視で、前記第２の方向の同一直線上に配置され、当該同一直線上に配置される第２の接続母線で互いに接続され、前記第１の母線区分ユニットから前記第２の主母線に至る第１の通電経路と前記第２の母線区分ユニットから前記第３の主母線に至る第２の通電経路は、上面視で、それぞれＬ字形であり、前記第１の母線連絡ユニットは前記第２の通電経路から分岐し、前記第２の母線連絡ユニットは前記第１の通電経路から分岐していることを特徴とする。
【発明の効果】
【０００９】
この発明によれば、２重母線の延伸方向の寸法を短縮化することが可能であると共に経済性も向上する２重母線方式のガス絶縁開閉装置を提供することができる、という効果を奏する。
【図面の簡単な説明】
【００１０】
【図１】実施の形態に係るガス絶縁開閉装置の単線結線図
【図２】実施の形態に係るガス絶縁開閉装置の構成を示す上面図
【図３】図２のＡ−Ａ側面図
【図４】図２のＢ−Ｂ側面図
【図５】図２のＣ−Ｃ側面図
【発明を実施するための形態】
【００１１】
以下に、本発明に係るガス絶縁開閉装置の実施の形態を図面に基づいて詳細に説明する。なお、この実施の形態によりこの発明が限定されるものではない。
【００１２】
実施の形態
図１は、本実施の形態に係るガス絶縁開閉装置の単線結線図である。図１に示すように、本実施の形態に係るガス絶縁開閉装置は、主母線１Ａ，２Ａと、主母線１Ａ，２Ａと共に２重母線を構成する主母線１Ｂ，２Ｂと、主母線１Ａと主母線２Ａとを区分する母線区分ユニット３と、主母線１Ｂと主母線２Ｂとを区分する母線区分ユニット７と、主母線１Ａと主母線１Ｂとを連絡する母線連絡ユニット８と、主母線２Ａと主母線２Ｂとを連絡する母線連絡ユニット４と、主母線１Ａに接続された保護計測ユニット５と、主母線２Ａに接続された保護計測ユニット６と、主母線２Ｂに接続された保護計測ユニット９と、主母線１Ｂに接続された保護計測ユニット１０とを備えている。
【００１３】
第１の母線区分ユニットである母線区分ユニット３は、遮断器１９と、遮断器１９の両側に配置される１対の断路器１７，２１と、遮断器１９と断路器１７との間に配置される計器用変流器１８と、遮断器１９と断路器２１との間に配置される計器用変流器２０とを備えている。ここで、断路器１７，２１は、それぞれ接地開閉器付の断路器である。なお、遮断器１９は第１の遮断器、１対の断路器１７，２１は１対の第１の断路器である。
【００１４】
第２の母線区分ユニットである母線区分ユニット７は、遮断器５２と、遮断器５２の両側に配置される１対の断路器５０，５４と、遮断器５２と断路器５０との間に配置される計器用変流器５１と、遮断器５２と断路器５４との間に配置される計器用変流器５３とを備えている。ここで、断路器５０，５４は、それぞれ接地開閉器付の断路器である。なお、遮断器５２は第２の遮断器、１対の断路器５０，５４は１対の第２の断路器である。
【００１５】
第１の母線連絡ユニットである母線連絡ユニット８は、遮断器４７と、遮断器４７の両側に配置される１対の断路器４５，４９と、遮断器４７と断路器４５との間に配置される計器用変流器４６と、遮断器４７と断路器４９との間に配置される計器用変流器４８とを備えている。ここで、断路器４５，４９は、それぞれ接地開閉器付の断路器である。なお、遮断器４７は第３の遮断器、１対の断路器４５，４９は１対の第３の断路器である。
【００１６】
第２の母線連絡ユニットである母線連絡ユニット４は、遮断器２４と、遮断器２４の両側に配置される１対の断路器２２，２６と、遮断器２４と断路器２２との間に配置される計器用変流器２３と、遮断器２４と断路器２６との間に配置される計器用変流器２５とを備えている。ここで、断路器２２，２６は、それぞれ接地開閉器付の断路器である。なお、遮断器２４は第４の遮断器、１対の断路器２２，２６は１対の第４の断路器である。
【００１７】
第１の保護計測ユニットである保護計測ユニット６は、主母線２Ａに接続された断路器２９，３１と、断路器２９に接続された計器用変圧器３０と、断路器３１に接続された避雷器３２と、主母線２Ａに接続された接地開閉器２８とを備えている。このように、保護計測ユニット６は、保護機能を有する避雷器３２と計測機能を有する計器用変圧器３０とを備えている。なお、断路器２９は第５の断路器、断路器３１は第６の断路器、計器用変圧器３０が第１の計器用変圧器、避雷器３２は第１の避雷器、接地開閉器２８は第１の接地開閉器である。
【００１８】
第２の保護計測ユニットである保護計測ユニット１０は、主母線１Ｂに接続された断路器４０，４２と、断路器４０に接続された避雷器４１と、断路器４２に接続された計器用変圧器４３と、主母線１Ｂに接続された接地開閉器４４とを備えている。このように、保護計測ユニット１０は、保護機能を有する避雷器４１と計測機能を有する計器用変圧器４３とを備えている。なお、断路器４２は第７の断路器、断路器４０は第８の断路器、計器用変圧器４３が第２の計器用変圧器、避雷器４１は第２の避雷器、接地開閉器４４は第２の接地開閉器である。
【００１９】
第３の保護計測ユニットである保護計測ユニット５は、主母線１Ａに接続された断路器１１，１３と、断路器１１に接続された計器用変圧器１２と、断路器１３に接続された避雷器１４とを備えている。このように、保護計測ユニット５は、保護機能を有する避雷器１４と計測機能を有する計器用変圧器１２とを備えている。なお、断路器１１は第９の断路器、断路器１３は第１０の断路器、計器用変圧器１２が第３の計器用変圧器、避雷器１４は第３の避雷器である。
【００２０】
第４の保護計測ユニットである保護計測ユニット９は、主母線２Ｂに接続された断路器５６，５８と、断路器５６に接続された計器用変圧器５７と、断路器５８に接続された避雷器５９とを備えている。このように、保護計測ユニット９は、保護機能を有する避雷器５９と計測機能を有する計器用変圧器５７とを備えている。なお、断路器５６は第１１の断路器、断路器５８は第１２の断路器、計器用変圧器５７が第４の計器用変圧器、避雷器５９は第４の避雷器である。
【００２１】
図２は、本実施の形態に係るガス絶縁開閉装置の構成を示す上面図、図３は、図２のＡ−Ａ側面図、図４は、図２のＢ−Ｂ側面図、図５は、図２のＣ−Ｃ側面図である。以下、図１から図５を参照して、本実施の形態に係るガス絶縁開閉装置の配置構成について説明する。
【００２２】
主母線１Ａは、水平な方向に直線的に延伸している。主母線１Ａは第１の主母線である。主母線１Ａの延伸方向を第１の方向という。なお、第１の方向と直交する水平方向を第２の方向という。主母線２Ａは、主母線１Ａと同一直線上に配置される。すなわち、主母線２Ａは、主母線１Ａと同じ高さで第１の方向に延伸している。主母線２Ａは第２の主母線である。主母線１Ｂは、主母線１Ａと同じ高さで第１の方向に延伸している。主母線１Ａ，１Ｂは、第２の方向に一定の間隔を隔てて平行に配置される。主母線１Ｂは第３の主母線である。主母線２Ｂは、主母線２Ａと同じ高さで第１の方向に延伸している。主母線２Ａ，２Ｂは、第２の方向に一定の間隔を隔てて平行に配置される。主母線２Ｂは第４の主母線である。
【００２３】
保護計測ユニット５は、上面視で、第２の方向に配置される。すなわち、保護計測ユニット５は、上面視で、第２の方向に伸びている。また、保護計測ユニット５は、上面視で、第２の方向において主母線１Ａ，２Ａに対して主母線１Ｂ，２Ｂ側とは反対側に配置される。
【００２４】
主母線１Ａには、主母線１Ａから分岐するようにして保護計測ユニット５が接続される。断路器１１は、主母線１Ａに接続される。断路器１１の下部には、計器用変圧器１２が配置される。計器用変圧器１２は、断路器１１に接続される。計器用変圧器１２は、主母線１Ａ内の導体の電圧を計測する。断路器１１には、断路器１３が接続される。断路器１３の下部には、避雷器１４が配置される。避雷器１４は、断路器１３に接続される。主母線１Ａおよび断路器１１，１３は同じ高さに配置される。
【００２５】
保護計測ユニット１０は、上面視で、第２の方向に配置される。すなわち、保護計測ユニット１０は、上面視で、第２の方向に伸びている。また、保護計測ユニット１０は、上面視で、第２の方向において主母線１Ｂ，２Ｂに対して主母線１Ａ，２Ａ側とは反対側に配置される。
【００２６】
主母線１Ｂには、主母線１Ｂから分岐するようにして保護計測ユニット１０が接続される。断路器４０は、主母線１Ｂに接続される。断路器４０の下部には、避雷器４１が配置される。避雷器４１は、断路器４０に接続される。断路器４０には、断路器４２が接続される。断路器４２の下部には、計器用変圧器４３が配置される。計器用変圧器４３は、断路器４２に接続される。計器用変圧器４３は、主母線１Ｂ内の導体の電圧を計測する。断路器４２には、接地開閉器４４が接続される。主母線１Ｂ、断路器４０，４２および接地開閉器４４は同じ高さに配置される。
【００２７】
母線区分ユニット３は、上面視で、第２の方向に配置される。すなわち、母線区分ユニット３は、上面視で、第２の方向に伸びている。また、母線区分ユニット３は、上面視で、第２の方向において主母線１Ａ，２Ａに対して主母線１Ｂ，２Ｂ側とは反対側に配置される。
【００２８】
断路器１７は、Ｔ字形の接続母線１５を介して主母線１Ａと接続される。断路器１７は、主母線１Ａと同じ高さに配置される。断路器１７は、計器用変流器１８を介して、断路器１７の下方に配置された遮断器１９に接続される。ここで、遮断器１９は、軸線が第２の方向である横形の遮断器である。遮断器１９は、上部に二つの分岐引出口を備え、このうちの一方に断路器１７が接続される。遮断器１９の二つの分岐引出口のうちの他方に計器用変流器２０を介して断路器２１が接続される。すなわち、断路器１７，２１は、遮断器１９の両側でかつ上部に接続される。断路器２１は、断路器１７と同じ高さに配置される。計器用変流器１８，２０は、それぞれ遮断器１９の両側で遮断器１９に接続された導体に流れる電流を計測する。
【００２９】
母線連絡ユニット８は、上面視で、第２の方向に配置される。すなわち、母線連絡ユニット８は、上面視で、第２の方向に伸びている。また、母線連絡ユニット８は、上面視で、第２の方向において主母線１Ｂ，２Ｂに対して主母線１Ａ，２Ａ側とは反対側に配置される。
【００３０】
断路器４５は、第１の方向に延伸する接続母線１Ｂｂを介して、保護計測ユニット１０内の接地開閉器４４と接続される。断路器４５は、計器用変流器４６を介して、断路器４５の下方に配置された遮断器４７に接続される。ここで、遮断器４７は、軸線が第２の方向である横形の遮断器である。遮断器４７は、上部に二つの分岐引出口を備え、このうちの一方に断路器４５が接続される。遮断器４７の二つの分岐引出口のうちの他方に計器用変流器４８を介して断路器４９が接続される。すなわち、断路器４５，４９は、遮断器４７の両側でかつ上部に接続される。断路器４９は、断路器４５と同じ高さに配置される。計器用変流器４６，４８は、それぞれ遮断器４７の両側で遮断器４７に接続された導体に流れる電流を計測する。
【００３１】
また、母線区分ユニット３と母線連絡ユニット８は、上面視で、第２の方向の同一直線上に配置され、当該同一直線上に配置される接続母線１６で互いに接続される。すなわち、第２の方向に延伸する接続母線１６の一端部には、Ｔ字形の接続母線１５を介して母線区分ユニット３内の断路器１７が接続される。従って、主母線１Ａ、断路器１７および接続母線１６は、Ｔ字形の接続母線１５を介して互いに接続される。また、接続母線１６の他端部には、母線連絡ユニット８内の断路器４９が接続される。なお、断路器１７，４９は同じ高さに配置される。
【００３２】
母線連絡ユニット４は、上面視で、第２の方向に配置される。すなわち、母線連絡ユニット４は、上面視で、第２の方向に伸びている。また、母線連絡ユニット４は、上面視で、第２の方向において主母線１Ａ，２Ａに対して主母線１Ｂ，２Ｂ側とは反対側に配置される。
【００３３】
断路器２２は、第１の方向に延伸する接続母線２Ａａを介して、母線区分ユニット３内の断路器２１と接続される。断路器２２は、断路器２１と同じ高さに配置される。断路器２２は、計器用変流器２３を介して、断路器２２の下方に配置された遮断器２４に接続される。ここで、遮断器２４は、軸線が第２の方向である横形の遮断器である。遮断器２４は、上部に二つの分岐引出口を備え、このうちの一方に断路器２２が接続される。遮断器２４の二つの分岐引出口のうちの他方に計器用変流器２５を介して断路器２６が接続される。すなわち、断路器２２，２６は、遮断器２４の両側でかつ上部に接続される。断路器２６は、断路器２２と同じ高さに配置される。計器用変流器２３，２５は、それぞれ遮断器２４の両側で遮断器２４に接続された導体に流れる電流を計測する。
【００３４】
母線区分ユニット７は、上面視で、第２の方向に配置される。すなわち、母線区分ユニット７は、上面視で、第２の方向に伸びている。また、母線区分ユニット７は、上面視で、第２の方向において主母線１Ｂ，２Ｂに対して主母線１Ａ，２Ａ側とは反対側に配置される。
【００３５】
断路器５０は、第１の方向に延伸する接続母線１Ｂａを介して、母線連絡ユニット８内の断路器４５と接続される。断路器５０は、断路器４５と同じ高さに配置される。断路器５０は、計器用変流器５１を介して、断路器５０の下方に配置された遮断器５２に接続される。ここで、遮断器５２は、軸線が第２の方向である横形の遮断器である。遮断器５２は、上部に二つの分岐引出口を備え、このうちの一方に断路器５０が接続される。遮断器５２の二つの分岐引出口のうちの他方に計器用変流器５３を介して断路器５４が接続される。すなわち、断路器５０，５４は、遮断器５２の両側でかつ上部に接続される。断路器５４は、断路器５０と同じ高さに配置される。計器用変流器５１，５３は、それぞれ遮断器５２の両側で遮断器５２に接続された導体に流れる電流を計測する。断路器５４は、Ｔ字形の接続母線５５を介して主母線２Ｂと接続される。
【００３６】
また、母線区分ユニット７と母線連絡ユニット４は、上面視で、第２の方向の同一直線上に配置され、当該同一直線上に配置される接続母線２７で互いに接続される。すなわち、第２の方向に延伸する接続母線２７の一端部には、Ｔ字形の接続母線５５を介して母線区分ユニット７内の断路器５４が接続される。従って、主母線２Ｂ、断路器５４および接続母線２７は、Ｔ字形の接続母線５５を介して互いに接続される。また、接続母線２７の他端部には、母線連絡ユニット４内の断路器２６が接続される。なお、断路器２６，５４は同じ高さに配置される。
【００３７】
保護計測ユニット９は、上面視で、第２の方向に配置される。すなわち、保護計測ユニット９は、上面視で、第２の方向に伸びている。また、保護計測ユニット９は、上面視で、第２の方向において主母線１Ｂ，２Ｂに対して主母線１Ａ，２Ａ側とは反対側に配置される。
【００３８】
保護計測ユニット９の構成機器の配置構成は、保護計測ユニット５と同様である。具体的には、以下の通りである。主母線２Ｂには、主母線２Ｂから分岐するようにして保護計測ユニット９が接続される。断路器５６は、主母線２Ｂに接続される。断路器５６の下部には、計器用変圧器５７が配置される。計器用変圧器５７は、断路器５６に接続される。計器用変圧器５７は、主母線２Ｂ内の導体の電圧を計測する。断路器５６には、断路器５８が接続される。断路器５８の下部には、避雷器５９が配置される。避雷器５９は、断路器５８に接続される。主母線２Ｂおよび断路器５６，５８は同じ高さに配置される。
【００３９】
保護計測ユニット６は、上面視で、第２の方向に配置される。すなわち、保護計測ユニット６は、上面視で、第２の方向に伸びている。また、保護計測ユニット６は、上面視で、第２の方向において主母線１Ａ，２Ａに対して主母線１Ｂ，２Ｂ側とは反対側に配置される。
【００４０】
保護計測ユニット６の構成機器の配置構成は、保護計測ユニット１０と同様である。具体的には、以下の通りである。接地開閉器２８は、第１の方向に延伸する接続母線２Ａｂを介して、母線連絡ユニット４内の断路器２２と接続される。接地開閉器２８には、断路器２９が接続される。断路器２９の下部には、計器用変圧器３０が配置される。計器用変圧器３０は、断路器２９に接続される。計器用変圧器３０は、主母線２Ａ内の導体の電圧を計測する。断路器２９には、断路器３１が接続される。断路器３１の下部には、避雷器３２が配置される。避雷器３２は、断路器３１に接続される。断路器３１は、主母線２Ａに接続される。主母線２Ａ、断路器２９，３１および接地開閉器２８は同じ高さに配置される。
【００４１】
なお、接続母線１６は第１の接続母線、接続母線２７は第２の接続母線、接続母線１５は第３の接続母線、接続母線５５は第４の接続母線、接続母線２Ａｂは第５の接続母線、接続母線２Ａａは第６の接続母線、接続母線１Ｂｂは第７の接続母線、接続母線１Ｂａは第８の接続母線である。
【００４２】
また、ガス絶縁開閉装置は、設置面７０上に配置される。また、集合端子箱６０は、ガス絶縁開閉装置の構成機器の制御盤を収納する。
【００４３】
図１および図２に示すように、母線区分ユニット３から主母線２Ａに至る第１の通電経路は、接続母線２Ａａ、接続母線２Ａｂおよび保護計測ユニット６で構成され、上面視で、Ｌ字形であり、母線区分ユニット７から主母線１Ｂに至る第２の通電経路は、接続母線１Ｂａ、接続母線１Ｂｂおよび保護計測ユニット１０で構成され、上面視で、Ｌ字形である。また、母線連絡ユニット４は、第１の通電経路から分岐し、母線連絡ユニット８は、第２の通電経路から分岐している。
【００４４】
本実施の形態では、母線区分ユニット３と母線連絡ユニット８とが、上面視で第２の方向の同一直線上に配置され、母線区分ユニット７と母線連絡ユニット４とが、上面視で第２の方向の同一直線上に配置される。これにより、これらの４つのユニットの占める第２の方向の寸法は、母線区分ユニット３と母線連絡ユニット４との間の寸法で代表されるユニット間の寸法で与えられることとなり、従来の一般的な構成と比べて、ガス絶縁開閉装置の第２の方向の寸法が短寸化される。
【００４５】
本実施の形態では、母線区分ユニット３から主母線２Ａに至る第１の通電経路は上面視でＬ字形であり、母線区分ユニット７から主母線１Ｂに至る第２の通電経路は上面視でＬ字形である。これにより、主母線１Ａ，１Ｂ，２Ａ，２Ｂと接続母線１Ｂａ，１Ｂｂ，２Ａａ，２Ａｂとが第２の方向において重複することがないので、従来の構成と比べて、経済性も向上する。
【００４６】
本実施の形態では、断路器１７，２１，２２，２６，４５，４９，５０，５４はそれぞれ接地開閉器付の断路器としたが、接地開閉器を設けず、あるいは、接地開閉器を断路器とは別体で設ける構成でもよい。
【００４７】
本実施の形態では、計器用変流器１８，２０，２３，２５，４６，４８，５１，５３を設ける構成としたが、これらを設けない構成も可能である。
【００４８】
本実施の形態では、ガス絶縁開閉装置は、保護計測ユニット５，６，９，１０を備える構成について説明したが、母線区分ユニット３，７および母線連絡ユニット４，８以外のユニット構成については適宜必要な構成を付加または削除することができる。例えば、ガス絶縁開閉装置には、一般に、送電線に接続される送受電ユニットが設けられる。
【００４９】
また、本実施の形態では、第１の通電経路を接続母線２Ａａ、接続母線２Ａｂおよび保護計測ユニット６で構成したが、保護計測ユニット６を第２の方向に延伸する接続母線で置き換えることも可能である。同様に、第２の通電経路は、接続母線１Ｂａ、接続母線１Ｂｂおよび保護計測ユニット１０で構成したが、保護計測ユニット１０を第２の方向に延伸する接続母線で置き換えることも可能である。
【符号の説明】
【００５０】
１Ａ，１Ｂ，２Ａ，２Ｂ  主母線、１Ｂａ，１Ｂｂ，２Ａａ，２Ａｂ，１５，１６，２７，５５  接続母線、３，７  母線区分ユニット、４，８  母線連絡ユニット、５，６，９，１０  保護計測ユニット、１１，１３，１７，２１，２２，２６，２９，３１，４０，４２，４５，４９，５０，５４，５６，５８  断路器、１２，３０，４３，５７  計器用変圧器、１４，３２，４１，５９  避雷器、１８，２０，２３，２５，４６，４８，５１，５３  計器用変流器、１９，２４，４７，５２  遮断器、２８，４４  接地開閉器、６０  集合端子箱、７０  設置面。
【図１】
2016187268.tif 000003
【図２】
2016187268.tif 000004
【図３】
2016187268.tif 000005
【図４】
2016187268.tif 000006
【図５】
2016187268.tif 000007